(57)【要約】【課題】放送番組の動画予告編やオプション情報やプレイバック再生映像の視聴を簡単かつ安価に可能とする。【解決手段】インターネット網１６のサーバに予め蓄積された放送番組の動画予告編やオプション情報やプレイバック再生映像の動画コンテンツのうちいずれか任意の動画コンテンツをコンテンツ選択部１１ａにより選択し、ストリーミングデータとしてインターネット網１６をＯｎ　Ｄｅｍａｎｄ配信又はＬｉｖｅ配信させ、ＡＤＳＬ　ｍｏｄｅｍ１５を介して受信して、“ＭａｃｒｏｍｅｄｉａＦｌａｓｈ”や“Ｒｅａｌ　　Ｐｌａｙｅｒ”等に代表されるストリーミング再生可能な画像処理を用いたブロードバンドストリーミングデータ再生部１１ｂの動作によりストリーム映像信号に再生した後、ビデオエンコーダ８にてテレビ放送番組の放送映像信号と重畳させて、テレビ受像機のメイン画面に表示される該放送映像信号と同時に、テレビ受像機のサブ画面に表示させる。【選択図】　　　　図１
2004015224.tif 000002
【特許請求の範囲】
【請求項１】
受信したテレビジョン放送信号から放送映像信号を再生して画面表示するテレビジョン受信機において、ブロードバンド回線によりインターネット網と接続するブロードバンド接続手段と、インターネット網のサーバに蓄積されているブロードバンド動画コンテンツを選択して指定することができるコンテンツ選択手段と、該コンテンツ選択手段により選択されたブロードバンド動画コンテンツがストリーミングデータとされて前記ブロードバンド接続手段を介して配信されてきた際に、該ストリーミングデータをストリーム映像信号として逐次ストリーミング再生させるブロードバンドストリーミングデータ再生手段と、再生された該ストリーム映像信号を前記放送映像信号に重畳させて画面表示する映像信号重畳手段とを具備していることを特徴とするテレビジョン受信機。
【請求項２】
請求項１に記載のテレビジョン受信機において、前記コンテンツ選択手段として、テレビジョン放送信号に含まれて送信されてくる電子番組表又はインターネット網から送信されてくる電子番組表を抽出する電子番組表抽出手段と、該電子番組表抽出手段により抽出された前記電子番組表の中から放送番組の予告編の視聴を所望する放送番組を選択することができる放送番組予告編選択手段とを有し、該放送番組予告編選択手段により前記電子番組表の中から視聴を所望する放送番組の予告編が選択された際に、該放送番組の予告編を示すブロードバンド動画コンテンツに関するストリーミングデータを、インターネット網から前記ブロードバンド接続手段を介して取得し、前記ブロードバンドストリーミングデータ再生手段を用いてストリーム映像信号として逐次ストリーミング再生すると共に、前記映像信号重畳手段により前記放送映像信号に重畳させて表示することにより、選択された放送番組の予告編を示すブロードバンド動画コンテンツを画面表示することを可能としていることを特徴とするテレビジョン受信機。
【請求項３】
請求項１又は請求項２に記載のテレビジョン受信機において、前記コンテンツ選択手段として、放送番組に関する解説やメーキングシーンを含む各種オプション情報のうち、視聴を所望するオプション情報を選択することができる放送番組オプション情報選択手段を有し、該放送番組オプション情報選択手段により視聴を所望する放送番組のオプション情報が選択された際に、該放送番組のオプション情報を示すブロードバンド動画コンテンツに関するストリーミングデータを、インターネット網から前記ブロードバンド接続手段を介して取得し、前記ブロードバンドストリーミングデータ再生手段を用いてストリーム映像信号として逐次ストリーミング再生すると共に、前記映像信号重畳手段により前記放送映像信号に重畳させて表示することにより、選択された放送番組のオプション情報を示すブロードバンド動画コンテンツを画面表示することを可能としていることを特徴とするテレビジョン受信機。
【請求項４】
請求項１乃至請求項３のいずれかに記載のテレビジョン受信機において、前記コンテンツ選択手段として、放送済みの放送番組に関するプレイバック再生映像の視聴を所望する放送番組に関し、視聴を所望する放送時間帯のプレイバック再生映像を選択することができるプレイバック再生映像選択手段を有し、該プレイバック再生映像選択手段により視聴を所望する放送番組の放送時間帯のプレイバック再生映像が選択された際に、該放送番組の放送時間帯のプレイバック再生映像を示すブロードバンド動画コンテンツに関するストリーミングデータを、インターネット網から前記ブロードバンド接続手段を介して取得し、前記ブロードバンドストリーミングデータ再生手段を用いてストリーム映像信号として逐次ストリーミング再生すると共に、前記映像信号重畳手段により前記放送映像信号に重畳させて表示することにより、選択された放送番組の放送時間帯のプレイバック再生映像を示すブロードバンド動画コンテンツを画面表示することを可能としていることを特徴とするテレビジョン受信機。
【請求項５】
請求項１乃至請求項４のいずれかに記載のテレビジョン受信機において、前記ブロードバンド接続手段として、アナログ電話回線を用いたＡＤＳＬ（Ａｓｙｍｍｅｔｒｉｃ　Ｄｉｇｉｔａｌ　Ｓｕｂｓｃｒｉｂｅｒ　Ｌｉｎｅ）回線、又は、光ファイバを用いたＦＴＴＨ（Ｆｉｂｅｒ　Ｔｏ　Ｔｈｅ　Ｈｏｍｅ）回線、又は、同軸ケーブルを用いたＣＡＴＶ（Ｃａｂｌｅ　Ｔｅｌｅｖｉｓｉｏｎ）回線、又は、衛星アンテナを用いた衛星回線のいずれか１つ又は複数のブロードバンド回線により、インターネット網と接続していることを特徴とするテレビジョン受信機。
【請求項６】
請求項１乃至請求項５のいずれかに記載のテレビジョン受信機において、前記ブロードバンドストリーミングデータ再生手段として、“ＭａｃｒｏｍｅｄｉａＦｌａｓｈ（商標）”又は“ＲｅａｌＰｌａｙｅｒ（商標）”又は“ＷｉｎｄｏｗｓＭｅｄｉａＰｌａｙｅｒ（商標）”又は“ＱｕｉｃｋＴｉｍｅ（商標）”のいずれか１つ又は複数のストリーミングデータ再生手段が用いられていることを特徴とするテレビジョン受信機。
【請求項７】
請求項１乃至請求項６のいずれかに記載のテレビジョン受信機において、前記コンテンツ選択手段により前記ブロードバンド動画コンテンツが選択された際に、選択された前記ブロードバンド動画コンテンツの先頭から逐次ストリーミング再生されてストリーミング配信させるＯｎ　Ｄｅｍａｎｄ配信、又は、選択された前記ブロードバンド動画コンテンツに関し常時リアルタイムでストリーミング再生されているストリーミングデータをライブ情報として配信させるＬｉｖｅ配信、のいずれのストリーミング配信形式に基づいて配信されてくるブロードバンド用のストリーミングデータであっても、前記ブロードバンドストリーミングデータ再生手段によりストリーム映像信号として逐次ストリーミング再生することが可能であることを特徴とするテレビジョン受信機。
【発明の詳細な説明】
【０００１】
【発明の属する技術分野】
本発明は、テレビジョン受信機に関し、特に、ＡＤＳＬ回線やＦＴＴＨ回線やＣＡＴＶ回線や衛星回線などのブロードバンド回線を用いてインターネット網に接続を可能にし、インターネット網上でストリーミング配信されているブロードバンド用ストリーミングデータを再生し、従来の衛星及び／又は地上波及び／又はＣＡＴＶテレビジョン放送の放送映像信号と重畳させて、テレビジョン画面に表示することが可能なテレビジョン受信機に関する。
【０００２】
【従来の技術】
特開平１１−６９３２４号公報「テレビ放送におけるインターネット情報搬送方式及び受信装置」のように、テレビジョン受信機に更にモデムを内蔵し、テレビ放送信号に含まれて送信されてくるＵＲＬ（ＵｎｉｑｕｅＲｅｓｏｕｒｃｅＬｏｃａｔｏｒｓ）をテレビ画面に表示させることにより、テレビ放送番組の内容を補足説明したりあるいは関連したりしている情報としてインターネット網上にある内容を閲覧することができる装置が提案及び発売されている。
【０００３】
ここに、図６は、特開平１１−６９３２４号公報において開示されている従来技術におけるテレビジョン受信機の構成を示すブロック構成図である。
図６において、受信装置２０内の受信部２１で受信された映像信号に含まれている放送番組の映像及び音声信号（映像コンテンツ）は、テレビ受像機３０に送信されてテレビ画面に表示されると共に、受信された該映像信号の映像及び音声信号（映像コンテンツ）以外の帯域（例えばＶＢＩ部）に含まれているマルチメディア情報やインターネット網上のアドレスを示すＵＲＬは、ＶＢＩ復号化部２２にて復号されて、画像構成部２３に入力される。画像構成部２３においては、テレビ画面に表示することができる画像情報に組み立てられて、ＲＦモジュレータ２４を介して、テレビ受像機３０に送信されて、前記映像コンテンツに重畳されてテレビ画面に表示される。
【０００４】
また、テレビ画面に画面表示されたＵＲＬに応じて、操作部２５に対する視聴者の操作により指定されたＵＲＬ情報は、通信部２６を介して、電話回線、ケーブルなどの手段２７を用いて、インターネット網に送信され、ＨＴＴＰ等の通信プロトコルにより、指定されたＵＲＬ情報により指定されたサーバから指定された情報を取得する。取得されたサーバからの情報は、画像構成部２３に送信され、テレビ画面に表示する画像に組み立てられた後、ＲＦモジュレータ２４を介してテレビ受像機３０に送信される。而して、かかるサーバからの情報や前記マルチメディア情報は、テレビ画面上のサブ画面として右下などに放送映像コンテンツに対する補足・関連情報として表示される。
【０００５】
また、インターネット網のサーバから取得される補足・関連情報を閲覧することができるテレビジョン受信機以外にも、例えば、放送信号に含まれて配信されてくる、あるいは、インターネット網から配信されてくる電子番組表を受信可能なテレビジョン受信機も既に発売されている。また、放送済みのテレビ放送番組に関するプレイバック再生機能についても、ＨＤＤレコーダやＨＤＤ内蔵のテレビジョン受信機として実現されて発売されている。更には、インターネット網上でストリーミング配信されている動画用のブロードバンドストリーミングデータをストリーミング再生することができる受像機（ＰＣなどを含む）についても、既に各種の提案がなされている。
【０００６】
【発明が解決しようとする課題】
しかしながら、従来のインターネット接続が可能なテレビジョン受信機においては、インターネット網との送受信情報の搬送帯域幅が狭いために、帯域幅が狭くても転送可能な文字情報や静止画情報についてのマルチメディア情報を、インターネット網から転送させて、テレビ受像機に画面表示することを前提にして設計されている。
【０００７】
例えば、現在、テレビジョン受信機にインターネット網を介して提供されてくる電子番組表のコンテンツは、文字情報が中心であり、例えば、放送番組の提供者が該放送番組に関する動画情報による予告編としてインターネット網上のサーバに予め用意していたとしても、放送番組に関する動画の予告編を、視聴者が希望する任意の時間にインターネット網を介して転送させて、テレビ画面に表示させることなどはできない。
【０００８】
また、例えば、ＢＳ（Ｂｒｏａｄｃａｓｔ　Ｓａｔｔｅｌｉｔｅ）デジタル放送により実現されているような１ｃｈでの複数映像情報を転送させる場合のごとく、放送番組に関する解説やメーキングシーン（即ち、放送番組に関する補足情報や関連するブロードバンド動画コンテンツ情報）などの動画を含む複数のオプション情報を、インターネット網を介して同時に転送させんとする場合についても、帯域の制限により、転送可能な映像数が限られたり、あるいは、複数映像情報の転送の際には各映像情報の解像度が劣化してしまうなどの制約がある。
【０００９】
更には、放送済みのテレビ放送番組に関するプレイバック再生機能についても、例えば、ＨＤＤレコーダやＨＤＤ内蔵のテレビジョン受信機として、現在実現されてはいるものの、外付けのＨＤＤレコーダや内蔵ＨＤＤのどちらにしても、大容量記録メディアが必要なために、プレイバック再生機能を備えるテレビジョン受信機はコスト高にならざるを得ないというのが現状である。
【００１０】
本発明は、かかる状況に鑑みてなされたものであり、現在、市販されている衛星及び／又は地上波及び／又はＣＡＴＶ用テレビジョン受信機に対して、最近急速に普及しつつあるＡＤＳＬ回線やＦＴＴＨ回線やＣＡＴＶ回線や衛星回線などブロードバンド回線のいずれか１つ又は複数と接続することができるブロードバンド用ポート（即ち、ブロードバンド接続手段）を付設し、インターネット網のサーバに蓄積されている任意のブロードバンド動画コンテンツを選択して指定することができるコンテンツ選択手段と、該コンテンツ選択手段により選択されたブロードバンド動画コンテンツがブロードバンド用のストリーミングデータとして配信されてきた際に、配信されてきたストリーミングデータを逐次ストリーム映像信号として再生させるブロードバンドストリーミングデータ再生手段とを備えると共に、前記ブロードバンドストリーミングデータ再生手段により再生されたストリーム映像信号を、本来のテレビジョン放送映像情報と重畳して画面表示する手段即ち映像信号重畳手段を備えていることにより、インターネット網上に存在する各種のブロードバンド動画コンテンツを、ブロードバンド用のストリーミングデータとして配信させて、テレビジョン受信機のテレビ画面にテレビジョン放送映像情報と共に画面表示することを可能にせんとすることを目的としている。
【００１１】
また、ストリーミング配信されているブロードバンド用のストリーミングデータをインターネット網から受信する際に、視聴者によるストリーミング配信の要求に応じて、ストリーミング配信を要求されたインターネット網上のサーバにおいてブロードバンド動画コンテンツの先頭から逐次ブロードバンド用のストリーミングデータとしてデコードして配信する動作を起動して、インターネット網を介して配信させるＯｎ　Ｄｅｍａｎｄ配信（即ちＰｕｌｌ型配信）、又は、要求されたインターネット網上のサーバにあり、常時ブロードバンド用のライブデータとしてデコードされた状態にあるリアルタイムのブロードバンド用のストリーミングデータをストリーミング配信の要求に応じてストリーミング配信させるＬｉｖｅ配信（即ちＰＵＳＨ型配信）、のいずれの配信方法に基づくストリーミングデータでも受信してストリーミング再生することを可能にせんとするものである。
【００１２】
ここに、ＯｎＤｅｍａｎｄ配信（即ちＰｕｌｌ型配信）とは、インターネット網上のサーバから、クライアントからの配信要求に応じて要求されたブロードバンド動画コンテンツをデコードさせて、ブロードバンド用のストリーミングデータとして配信させるものであり、該サーバは、クライアントからのかかるＯｎＤｅｍａｎｄ配信要求を受け付けて、要求されているブロードバンド動画コンテンツの先頭映像情報から逐次ブロードバンド用のストリーミングデータとしてインターネット網を介してストリーミング配信する機能を有している。
【００１３】
従って、クライアントがサーバ（即ち、ＯｎＤｅｍａｎｄＳｅｒｖｅｒ）に対して再生したいブロードバンド動画コンテンツを指定することにより、該サーバ（即ち、ＯｎＤｅｍａｎｄＳｅｒｖｅｒ）は、指定されたブロードバンド動画コンテンツの先頭映像情報から順次ブロードバンド用のストリーミングデータとするデコードを開始して、デコードされた該ブロードバンド用のストリーミングデータを、再生を要求されたクライアントに対して、インターネット網上をストリーミング配信させることとなる。
【００１４】
例えば、電子番組表として予告されている放送番組に関するブロードバンド動画コンテンツを含む予告編として、当該放送番組の提供者が予めサーバ（即ち、ＯｎＤｅｍａｎｄＳｅｒｖｅｒ）上に蓄積させている該予告編がデコードされて、該予告編の先頭映像情報から順次ブロードバンド用のストリーミングデータとしてストリーミング配信させたり、放送中の放送番組に関するブロードバンド動画コンテンツを含む解説やメーキングシーン関連のオプション情報として、当該放送番組の提供者が予めサーバ（即ち、ＯｎＤｅｍａｎｄＳｅｒｖｅｒ）上に蓄積させている該オプション情報がデコードされて、該オプション情報の先頭映像情報から順次ブロードバンド用のストリーミングデータとしてストリーミング配信させたり、あるいは、放送済みの放送番組の例えば数分乃至数十分前に遡った放送番組に関するプレイバック再生映像情報からなるブロードバンド動画コンテンツとして、当該放送番組の提供者が予めサーバ（即ち、ＯｎＤｅｍａｎｄＳｅｒｖｅｒ）上に蓄積させている該プレイバック再生映像情報がデコードされて、該プレイバック再生映像情報の先頭映像情報から順次ブロードバンド用のストリーミングデータとしてストリーミング配信させたりすることが可能である。
【００１５】
一方、Ｌｉｖｅ配信（即ちＰＵＳＨ型配信）とは、インターネット網上のサーバからリアルタイムで配信されているライブ映像即ちリアルタイムのブロードバンド動画コンテンツに関するストリーミングデータを受信させるものであり、該サーバは、クライアントからのかかるＬｉｖｅ配信要求を受け付けて、要求されているライブ映像情報に関するブロードバンド動画コンテンツに関し、常時、リアルタイムでデコードされているブロードバンド用のストリーミングデータとしてインターネット網を介してストリーミング配信する機能を有している。
【００１６】
従って、クライアントがサーバ（即ち、ＢｒｏａｄｃａｓｔＳｅｒｖｅｒ）に対して再生したいブロードバンド動画コンテンツを指定することにより、該サーバ（即ち、ＢｒｏａｄｃａｓｔＳｅｒｖｅｒ）は、指定されたブロードバンド動画コンテンツに関し現在ライブ映像情報としてデコードされているブロードバンド用のストリーミングデータが、再生を要求されたクライアントに対して、インターネット網上をストリーミング配信されることとなる。
而して、Ｌｉｖｅ配信は、ＯｎＤｅｍａｎｄ配信の場合とは異なり、ブロードバンド用のストリーミングデータのキャプチャとエンコードとを同時に行ない、リアルタイムで配信されてくるライブ映像に関するブロードバンド用のストリーミングデータを受信して再生することを可能としている。
【００１７】
即ち、ＯｎＤｅｍａｎｄ配信においては、ＶＴＲのように、各クライアントからの要求に応じて頭出しされた先頭から新たにブロードバンド用のストリーミングデータの配信を行なうが、Ｌｉｖｅ配信においては、テレビ放送のように、要求された時点で配信されているライブ映像情報に関するブロードバンド用のストリーミングデータをそのままリアルタイムで配信することができるものである。
例えば、放送中の放送番組に関するブロードバンド動画コンテンツを含む解説やメーキングシーン関連のオプション情報として、当該放送番組の提供者がＬｉｖｅ配信させるために予めサーバ（即ち、ＢｒｏａｄｃａｓｔＳｅｒｖｅｒ）上に蓄積させる該オプション情報がライブ映像情報としてリアルタイムにデコードされて、逐次ブロードバンド用のストリーミングデータとしてストリーミング配信させたりすることが可能となる。
【００１８】
而して、例えば、インターネット網を介して配信されてくる電子番組表に関する提供情報としては、従来の文字情報や静止画情報に加えて、番組提供者が事前に準備した予告編用ストリーミングデータ（動画情報即ちブロードバンド用ストリーミングデータ）を視聴者が希望する時点でブロードバンド回線を介してＯｎＤｅｍａｎｄ配信させることが可能になり、視聴者はコンテンツ選択手段によりテレビジョン受信機の画面上に表示させたメニューを用いて、複数のテレビ放送番組の予告編の中から任意の予告編を選択して、現在放送中のテレビジョン放送番組と共に、テレビ放送番組の予告編を動画情報として視聴することが可能となる。
【００１９】
また、テレビ放送番組の解説やメーキングシーンなどのオプション情報についても、番組提供者が事前に複数多種類準備したオプション映像用ストリーミングデータ（動画情報即ちブロードバンド用ストリーミングデータ）をＯｎＤｅｍａｎｄ配信、あるいは、Ｌｉｖｅ配信のいずれかの方式を用いてインターネット網を介して配信することが可能であり、視聴者はコンテンツ選択手段によりテレビジョン受信機の画面上に表示させたメニューを用いて、多くのオプション情報用ストリーミングデータの中から、任意のストリーミングデータを選択して、サーバから新たにストリーミング配信させて視聴したり、あるいは、現在放送中のテレビジョン放送番組と同時にサーバからＬｉｖｅ配信されてくるオプション映像用ストリーミングデータを視聴したりすることが可能となる。
【００２０】
また、放送済みの放送番組のプレイバック再生機能についても、放送番組の提供者が、複数の放送時間帯にそれぞれ分割して、いずれか指定された放送時間帯における放送番組のプレイバック映像を再配信することが可能なように予めサーバ上に分割して準備されているプレイバック映像用ストリーミングデータを、インターネット網を介してＯｎＤｅｍａｎｄ配信することによって、視聴者はコンテンツ選択手段によりテレビジョン受信機の画面上に表示させたメニューを用いて、複数の放送時間帯の中から、任意の放送時間帯を選択して、現在放送中のテレビジョン放送番組と共に、プレイバック映像用ストリーミングデータの再生映像も同時に視聴することが可能となる。
【００２１】
【課題を解決するための手段】
第１の技術手段は、受信したテレビジョン放送信号から放送映像信号を再生して画面表示するテレビジョン受信機において、ブロードバンド回線によりインターネット網と接続するブロードバンド接続手段と、インターネット網のサーバに蓄積されているブロードバンド動画コンテンツを選択して指定することができるコンテンツ選択手段と、該コンテンツ選択手段により選択されたブロードバンド動画コンテンツがストリーミングデータとされて前記ブロードバンド接続手段を介して配信されてきた際に、該ストリーミングデータをストリーム映像信号として逐次ストリーミング再生させるブロードバンドストリーミングデータ再生手段と、再生された該ストリーム映像信号を前記放送映像信号に重畳させて画面表示する映像信号重畳手段とを具備しているテレビジョン受信機とすることを特徴とするものである。
【００２２】
第２の技術手段は、前記第１の技術手段に記載のテレビジョン受信機において、前記コンテンツ選択手段として、テレビジョン放送信号に含まれて送信されてくる電子番組表又はインターネット網から送信されてくる電子番組表を抽出する電子番組表抽出手段と、該電子番組表抽出手段により抽出された前記電子番組表の中から放送番組の予告編の視聴を所望する放送番組を選択することができる放送番組予告編選択手段とを有し、該放送番組予告編選択手段により前記電子番組表の中から視聴を所望する放送番組の予告編が選択された際に、該放送番組の予告編を示すブロードバンド動画コンテンツに関するストリーミングデータを、インターネット網から前記ブロードバンド接続手段を介して取得し、前記ブロードバンドストリーミングデータ再生手段を用いてストリーム映像信号として逐次ストリーミング再生すると共に、前記映像信号重畳手段により前記放送映像信号に重畳させて表示することにより、選択された放送番組の予告編を示すブロードバンド動画コンテンツを画面表示することを可能としているテレビジョン受信機とすることを特徴とするものである。
【００２３】
第３の技術手段は、前記第１又は第２の技術手段に記載のテレビジョン受信機において、前記コンテンツ選択手段として、放送番組に関する解説やメーキングシーンを含む各種オプション情報のうち、視聴を所望するオプション情報を選択することができる放送番組オプション情報選択手段を有し、該放送番組オプション情報選択手段により視聴を所望する放送番組のオプション情報が選択された際に、該放送番組のオプション情報を示すブロードバンド動画コンテンツに関するストリーミングデータを、インターネット網から前記ブロードバンド接続手段を介して取得し、前記ブロードバンドストリーミングデータ再生手段を用いてストリーム映像信号として逐次ストリーミング再生すると共に、前記映像信号重畳手段により前記放送映像信号に重畳させて表示することにより、選択された放送番組のオプション情報を示すブロードバンド動画コンテンツを画面表示することを可能としているテレビジョン受信機とすることを特徴とするものである。
【００２４】
第４の技術手段は、前記第１乃至第３の技術手段のいずれかに記載のテレビジョン受信機において、前記コンテンツ選択手段として、放送済みの放送番組に関するプレイバック再生映像の視聴を所望する放送番組に関し、視聴を所望する放送時間帯のプレイバック再生映像を選択することができるプレイバック再生映像選択手段を有し、該プレイバック再生映像選択手段により視聴を所望する放送番組の放送時間帯のプレイバック再生映像が選択された際に、該放送番組の放送時間帯のプレイバック再生映像を示すブロードバンド動画コンテンツに関するストリーミングデータを、インターネット網から前記ブロードバンド接続手段を介して取得し、前記ブロードバンドストリーミングデータ再生手段を用いてストリーム映像信号として逐次ストリーミング再生すると共に、前記映像信号重畳手段により前記放送映像信号に重畳させて表示することにより、選択された放送番組の放送時間帯のプレイバック再生映像を示すブロードバンド動画コンテンツを画面表示することを可能としているテレビジョン受信機とすることを特徴とするものである。
【００２５】
第５の技術手段は、前記第１乃至第４の技術手段のいずれかに記載のテレビジョン受信機において、前記ブロードバンド接続手段として、アナログ電話回線を用いたＡＤＳＬ（Ａｓｙｍｍｅｔｒｉｃ　Ｄｉｇｉｔａｌ　Ｓｕｂｓｃｒｉｂｅｒ　Ｌｉｎｅ）回線、又は、光ファイバを用いたＦＴＴＨ（Ｆｉｂｅｒ　Ｔｏ　Ｔｈｅ　Ｈｏｍｅ）回線、又は、同軸ケーブルを用いたＣＡＴＶ（Ｃａｂｌｅ　Ｔｅｌｅｖｉｓｉｏｎ）回線、又は、衛星アンテナを用いた衛星回線のいずれか１つ又は複数のブロードバンド回線により、インターネット網と接続しているテレビジョン受信機とすることを特徴とするものである。
【００２６】
第６の技術手段は、前記第１乃至第５の技術手段のいずれかに記載のテレビジョン受信機において、前記ブロードバンドストリーミングデータ再生手段として、“ＭａｃｒｏｍｅｄｉａＦｌａｓｈ（商標）”又は“ＲｅａｌＰｌａｙｅｒ（商標）”又は“ＷｉｎｄｏｗｓＭｅｄｉａＰｌａｙｅｒ（商標）”又は“ＱｕｉｃｋＴｉｍｅ（商標）”のいずれか１つ又は複数のストリーミングデータ再生手段が用いられているテレビジョン受信機とすることを特徴とするものである。
【００２７】
第７の技術手段は、前記第１乃至第６の技術手段のいずれかに記載のテレビジョン受信機において、前記コンテンツ選択手段により前記ブロードバンド動画コンテンツが選択された際に、選択された前記ブロードバンド動画コンテンツの先頭から逐次ストリーミング再生されてストリーミング配信させるＯｎ　Ｄｅｍａｎｄ配信、又は、選択された前記ブロードバンド動画コンテンツに関し常時リアルタイムでストリーミング再生されているストリーミングデータをライブ情報として配信させるＬｉｖｅ配信、のいずれのストリーミング配信形式に基づいて配信されてくるブロードバンド用のストリーミングデータであっても、前記ブロードバンドストリーミングデータ再生手段によりストリーム映像信号として逐次ストリーミング再生することが可能であるテレビジョン受信機とすることを特徴とするものである。
【００２８】
【発明の実施の形態】
本発明に係るテレビジョン受信機の実施形態の一例について、図面を参照しながら以下に説明する。
【００２９】
図１は、本発明に係るテレビジョン受信機の実施形態の一例として、デジタル衛星放送を受信して再生するデジタルテレビジョン受信機における構成の一例を示すブロック構成図である。
図１に示すデジタルテレビジョン受信機において、１はアンテナ、２はチューナ部、３は復調回路、４は誤り訂正部、５はトランスポートデコーダ、６はＭＰＥＧ（ＭｏｖｉｎｇＰｉｃｔｕｒｅＥｘｐｅｒｔｓＧｒｏｕｐ）デコーダ、７はＯＳＤ（ＯｎＳｃｒｅｅｎＤｉｓｐｌａｙ）表示部、８はビデオエンコーダ、９は音声ＤＡＣ（ＤｉｇｉｔａｌｔｏＡｎａｌｏｇＣｏｎｖｅｒｔｅｒ）である。
【００３０】
また、１０はＣＰＵ（ＣｅｎｔｒａｌＰｒｏｃｅｓｓｏｒＵｎｉｔ）、１１はＲＯＭ（Ｒｅａｄ−ＯｎｌｙＭｅｍｏｒｙ）、１２はＲＡＭ（ＲａｎｄｏｍＡｃｃｅｓｓＭｅｍｏｒｙ）、１３は入力Ｉ／Ｆ（ＩｎｔｅｒＦａｃｅ）、１４はＬＡＮ（ＬｏｃａｌＡｒｅａＮｅｔｗｏｒｋ）Ｐｏｒｔ、１５はＡＤＳＬ（ＡｓｙｍｍｅｒｔｉｃＤｉｇｉｔａｌＳｕｂｓｃｒｉｂｅｒＬｉｎｅ）ｍｏｄｅｍである。
【００３１】
ここに、アンテナ１，チューナ部２，復調回路３，誤り訂正部４は衛星から受信されるデジタル放送信号を選択受信し、誤り訂正を施すフロントエンド部１７を形成し、トランスポートデコーダ５は、ＭＰＥＧ符号化されているデジタル放送信号に含まれている放送映像信号と放送音声信号とデータ信号とを分離するトランスポート部１８を形成し、ＭＰＥＧデコーダ６，ＯＳＤ表示部７，ビデオエンコーダ８，音声ＤＡＣ９はＭＰＥＧ符号化情報を復号化し、接続されているテレビジョン受像機やオーディオ装置に出力するＭＰＥＧデコーダ部１９を形成している。
【００３２】
また、入力Ｉ／Ｆ１３は視聴者（ユーザ）から入力される操作情報（例えば、チャンネル選択に関する操作情報、あるいは、予告編やオプション情報やプレイバック再生映像の選択などに関する操作情報）をＣＰＵ１０に転送するインタフェースを司り、ＬＡＮ　Ｐｏｒｔ１４は、当該テレビジョン受信機をＬＡＮ接続可能とする情報転送動作を行なうポートであり、本実施例においては、ＡＤＳＬｍｏｄｅｍ１５との間の各種情報の転送制御を行なうためのインタフェースを提供している。また、ＡＤＳＬｍｏｄｅｍ１５は、インターネット網１６とブロードバンド回線により接続するためのブロードバンド接続手段を提供するものであり、アナログ電話回線の音声帯域を用いて電話回線網と接続されるのみならず、アナログ電話回線の高周波数帯域を用いてインターネット網１６とブロードバンド回線接続される。
【００３３】
なお、本発明に係るテレビジョン受信機は、図１に例示したようなデジタル衛星放送信号を受信して再生するデジタルテレビジョン受信機のみに限定されるものではなく、例えば、地上波やＣＡＴＶを介して放送されてくる放送信号を受信し再生するようなテレビジョン受信機であっても構わない。
【００３４】
また、図１においては、ＡＤＳＬ　ｍｏｄｅｍ１５を備えることにより、インターネット網１６から、ブロードバンド（広帯域）回線を介して、ＡＤＳＬ信号即ちブロードバンド信号（例えば、動画や音声を含むブロードバンド用のストリーミングデータやブロードバンドデータそのものなどからなる広帯域信号）を転送させることを可能とするブロードバンド接続手段を構成しているが、かかるブロードバンド接続手段としては、前述のごときアナログ電話回線を用いるＡＤＳＬ回線に限るものではなく、例えば、光ファイバを用いるＦＴＴＨ（ＦｉｂｅｒＴｏ　Ｔｈｅ　Ｈｏｍｅ）回線あるいは同軸ケーブルを用いるＣＡＴＶ（Ｃａｂｌｅ　Ｔｅｌｅｖｉｓｉｏｎ）回線あるいは衛星アンテナを用いる衛星回線なども含むいずれか１つ又は複数のブロードバンド回線により、インターネット網１６と接続しているブロードバンド接続手段としても良い。
【００３５】
図１において、アンテナ１により放送衛星や通信衛星から受信されたデジタル衛星放送信号はチューナ部２に入力される。チューナ部２においては、視聴者の選局指示に従って所定のチャンネルが選局され、該チャンネルのデジタル衛星放送信号が抽出されて、誤り訂正部４に入力され、誤り訂正部４においてデジタル衛星放送信号の誤りに関する修復や訂正が施されて、トランスポートストリームデータとして再生されて、後続するトランスポートデコーダ５に入力される。
【００３６】
トランスポートデコーダ５において、誤り訂正部４より入力されてきた該トランスポートストリームデータは、放送音声信号，放送映像信号，データ信号に分離される。更に、放送音声信号と放送映像信号とは、ＭＰＥＧデコーダ６に入力されて、ＭＰＥＧデコーダにおいて、放送音声信号と放送映像信号とのＭＰＥＧ復号化が行なわれる。
【００３７】
ＭＰＥＧ復号化された復号信号のうち放送映像信号はビデオエンコーダ８に入力され、ビデオエンコーダ８において、接続されているテレビジョン受像機に適したビデオ信号に復調が行なわれて、テレビジョン受像機に対して出力される。一方、ＭＰＥＧ復号化された復号信号のうち放送音声信号は音声ＤＡＣ９に入力されて、音声ＤＡＣ９において、接続されているテレビジョン受像機若しくはオーディオ装置に適したオーディオ信号に復調が行なわれて、テレビジョン受像機若しくはオーディオ装置に対して出力される。
【００３８】
また、トランスポートデコーダ５において分離されたデータ信号はＣＰＵ１０に取り込まれ、ＲＡＭ１２に一旦蓄積保存される。しかる後、ＣＰＵ１０は、ＲＯＭ１１あるいはＲＡＭ１２に格納されている各種制御プログラムの動作に基づいて、データ信号に含まれているテレビ放送に関する放送番組表やテレビ放送番組に関する補足・関連情報あるいはＵＲＬなどを解読して、ＯＳＤ表示部７に入力して、オンスクリーン表示可能な文字信号や図形信号として画像信号に構成させた後、ビデオエンコーダ８に入力する。
【００３９】
ビデオエンコーダ８においては、ＭＰＥＧデコーダ６から入力されてくる放送映像信号とＯＳＤ表示部７から入力されてくる文字信号や図形信号とを合成して、接続されているテレビジョン受像機に適した合成ビデオ信号に復調が行なわれて、テレビジョン受像機に対して出力される。ここで、ビデオエンコーダ８において合成されたＯＳＤ表示部７からの文字信号や図形信号の表示画面は、テレビジョン受像機の上側又は下側あるいは右下側のサブ画面として作成され、ＭＰＥＧデコーダ６からの放送映像信号は放送番組の映像情報としてテレビジョン受像機のメイン画面に表示されるように作成される。
【００４０】
なお、ＣＰＵ１０は、ＲＯＭ１１あるいはＲＡＭ１２に格納されている各種制御プログラムの動作により、かかる受信データ信号のＯＳＤ表示制御のみならず、当該テレビジョン受信機の視聴者からの操作内容として入力Ｉ／Ｆ１３から入力されてくる指示（コントロール信号）に基づいて、チューナ部２におけるテレビ放送番組の選局制御や、テレビジョン受像機に対する出力制御（例えば、画面表示の明るさや色合いの制御、音量の制御や録画動作制御あるいは二画面表示制御などの各種の出力制御）や、インターネット網１６から受信すべき情報の選択制御や、その他テレビジョン受信機全体の制御を司る。
【００４１】
また、ＣＰＵ１０は、ＲＯＭ１１あるいはＲＡＭ１２に格納されている各種制御プログラムの動作により、後述するように、当該テレビジョン受信機の視聴者からの入力Ｉ／Ｆ１３を介した指示に基づいて、インターネット網１６上のサーバ（Ｏｎ　Ｄｅｍａｎｄ配信を行なうＯｎＤｅｍａｎｄサーバやＬｉｖｅ配信を行なうＢｒｏａｄｃａｓｔサーバ）に対するＵＲＬなどによりアクセスし、選択したサーバに格納されているブロードバンド動画コンテンツの中から所望のブロードバンド動画コンテンツをブロードバンド用のストリーミングデータとしてＯｎ　Ｄｅｍａｎｄ配信又はＬｉｖｅ配信させる選択を行なうストリーミング配信選択制御（例えば、放送番組の予告編を選択する放送番組予告編選択や、放送番組に関するオプション情報を選択する放送番組オプション情報選択や、放送番組のプレイバック再生映像を選択する放送番組プレイバック再生映像選択などに関する選択制御）や該サーバからストリーミング配信されてくる選択した所望のブロードバンド動画コンテンツに関するストリーム映像信号としてストリーミング再生制御なども司る。
【００４２】
ここに、前者のストリーミング配信選択制御は、インターネット網１６のサーバに蓄積されているブロードバンド動画コンテンツを選択して指定することができるコンテンツ選択手段（即ち、図１に示すＲＯＭ１１に格納されている制御プログラムであるコンテンツ選択部１１ａの動作に基づくコンテンツ選択）を提供し、一方、後者のストリーミング再生制御は、インターネット網１６から配信されてくるブロードバンド用のストリーミングデータをストリーム映像信号として逐次ストリーミング再生させるブロードバンドストリーミングデータ再生手段（（即ち、図１に示すＲＯＭ１１に格納されている制御プログラムであるブロードバンドストリーミングデータ再生部１１ｂの動作に基づくストリーミング再生）を提供している。なお、コンテンツ選択手段としては、ストリーミング配信（即ち、ブロードバンド動画コンテンツの取得）を所望するか否かも含め、所望する場合には、如何なるブロードバンド動画コンテンツの取得を所望するかを選択することができる。
【００４３】
ＡＤＳＬ　ｍｏｄｅｍ１５は、前述したように、アナログ電話回線を介してインターネット網１６に接続されており、高周波数帯域を用いてブロードバンド転送動作を行なうアナログ信号にデジタルデータ信号を変調したり、逆に、高周波数帯域を用いてブロードバンド転送されてくるアナログ信号をデジタルデータ信号に復調したりする。
即ち、選択したサーバからインターネット網１６を介してブロードバンド形式のストリーミングデータとして配信されてきて、高周波数帯域のアナログ信号に変調されて当該テレビジョン受信機に接続されている電話回線に送出されてきて、ＡＤＳＬ　ｍｏｄｅｍ１５により受信され、ＡＤＳＬ　ｍｏｄｅｍ１５により元のデジタルデータ信号（即ち、ブロードバンド形式のストリーミングデータ）に復調された後、ＬＡＮＰｏｒｔ１４を介してＣＰＵ１０に入力され、一旦ＲＡＭ１２に蓄積される。
【００４４】
ここで、当該テレビジョン受信機の視聴者が、複数の放送番組に関する動画予告編のいずれかを視聴したり、放送番組に関する動画を含む解説や関連するメーキングシーンなどからなる複数のオプション情報のいずれかを視聴したり、あるいは、放送済みの放送番組に関する複数の放送時間帯のプレイバック再生映像のいずれかを視聴したりしたい場合、コンテンツ選択手段を提供する一例として、例えば、図２に示すごとき選択メニュー画面を、入力Ｉ／Ｆ部１３を介して、テレビジョン受像機に表示させる指示を行なう。
【００４５】
ここに、図２は、視聴者が視聴を所望する項目を選択指定するための選択メニュー項目の一例を示す選択メニュー画面である。即ち、図２に示す表示例においては、「１．予告編」，「２：オプション情報」，「３：プレイバック再生」の３つのいずれかを選択指定することができる選択メニュー項目の例が示されており、かかる選択メニュー項目のうち、「１：予告編」が視聴者により入力Ｉ／Ｆ１３を介して選択指定されている状態にあることをハッチングにより例示している。
【００４６】
かくのごとく、該視聴者が、テレビジョン受像機に表示された図２に示すごとく、選択メニュー項目の中から入力Ｉ／Ｆ部１３を用いて、所望の項目を選択指定すると、選択指定された項目に関する詳細選択メニュー画面が次にテレビジョン受像機に表示される。即ち、例えば、「１：予告編」を選択指定した場合には、図３に一例を示すごとき予告編選択メニュー画面（本実施例においては、電子番組表表示画面）が表示され、「２：オプション情報」を選択指定した場合には、図４に一例を示すごときオプション情報選択メニュー画面が表示され、「３：プレイバック再生」を選択指定した場合には、図５に一例を示すごときプレイバック再生映像選択メニュー画面が表示される。
【００４７】
ここに、図３は、予告編選択メニュー画面の一例として電子番組表を表示している選択メニュー画面（図３（Ａ））と該予告編選択メニュー画面で選択された予告編情報を表示した画面表示例（図３（Ｂ））とを示し、図４は、放送番組に関する解説やメーキングシーンなどのオプション情報を選択するメニュー画面の一例を示すオプション情報選択メニュー画面（図４（Ａ））と該オプション情報選択メニュー画面で選択されたオプション情報を表示した画面表示例（図４（Ｂ））とを示し、図５は、放送済み番組のプレイバック再生映像を選択するメニュー画面の一例を示すプレイバック再生映像選択メニュー画面（図５（Ａ））と該プレイバック再生映像選択メニュー画面で選択されたプレイバック再生映像を表示した画面表示例（図５（Ｂ））とを示している。
即ち、図２乃至図５に示す各種の選択メニュー画面は、コンテンツ選択手段が提供する画面の一例を示すものである。
【００４８】
例えば、視聴者が、図２に示す選択メニュー画面において、入力Ｉ／Ｆ部１３を操作して、図２のハッチングに示す「１：予告編」を選択指定した場合、予告編選択メニュー画面として、例えば、図３（Ａ）に示すごとき電子番組表、即ち、放送信号にデータ信号として含まれて送信されてくる電子番組表又はインターネット網１６を介して受信されている電子番組表を表示させる。
【００４９】
即ち、図１に示すＲＯＭ１１に格納されている制御プログラムの電子番組抽出部１１ａ１の動作により、テレビジョン放送信号のデータ信号の中に含まれて送信されてくる電子番組表の情報あるいはインターネット網１６から送信されてくる電子番組表の情報が抽出されて、ＲＡＭ１２に蓄積保存され、更に、放送番組予告編選択部１１ａ２の動作により、ＲＡＭ１２に蓄積保存されている電子番組表が検索されて、テレビ画面に表示される。視聴者が画面表示された電子番組表の中から放送番組の予告編の視聴を所望する放送番組を選択すると、放送番組予告編選択部１１ａ２の動作により、選択された放送番組の動画予告編が蓄積されているインターネット網１６のサーバと該サーバ内の蓄積先を示すＵＲＬ（Ｕｎｉｑｕｅ　Ｒｅｓｏｕｒｃｅ　Ｌｏｃａｔｏｒｓ）が抽出される。
【００５０】
ここに、図３（Ａ）に例示する電子番組表ＥＰＧ（ＥｌｅｃｔｒｏｎｉｃＰｒｏｇｒａｍ　Ｇｕｉｄｅ）は、放送時間帯として示されている「１３：００〜」の時間帯において、「Ｃｈａｎｎｅｌ」欄に示す各放送チャンネル対応に該時間帯で放送される予定の放送番組内容が、「ＮＥＷＳ」（１ｃｈの番組名「ＡＡＡ」の場合），「ＭＯＶＩＥ」（２ｃｈの番組名「ＢＢＢ」の場合），「ＳＣＩＥＮＣＥ」（３ｃｈの番組名「ＣＣＣ」の場合），…などであることを表示している。
【００５１】
テレビジョン受像機に表示されたかかる電子番組表の中から、視聴者が、入力Ｉ／Ｆ部１３を操作して、例えば、図３（Ａ）のハッチングに示すごとく、「２ｃｈ　ＢＢＢ　ＭＯＶＩＥ」を選択指定した場合、図３（Ｂ）に示すごとく、メイン画面の下段には、番組詳細情報として「２ｃｈ　ＢＢＢ　１３：００〜１５：００　ＭＯＶＩＥ」の表示と該チャンネル２ｃｈが「１３：００〜１５：００」の放送時間帯の間動画映像を放送する「ＭＯＶＩＥ」放送番組であることが示されると共に、該「ＭＯＶＩＥ」のタイトルが「２００２　ＳＦ　ＮＥＷ　Ｔｙｐｅ」であることが示される。
【００５２】
更に、右下のサブ画面には、当該「ＭＯＶＩＥ」の予告編として、放送番組提供者が予め準備して、インターネット網１６のサーバ（Ｏｎ　Ｄｅｍａｎｄ　Ｓｅｒｖｅｒ）に蓄積している予告編の動画映像（ブロードバンド動画コンテンツ）が、メイン画面の放送番組に関する放送映像情報と共に表示される。
【００５３】
即ち、当該「ＭＯＶＩＥ」の予告編が選択指定された場合には、かかる予告編に対する選択指示がＩ／Ｆ入力部１３からの操作情報として入力されてくると、ＣＰＵ１０とＲＯＭ１１又はＲＡＭ１２に格納されている制御プログラムの動作とにより、ＬＡＮ　Ｐｏｒｔ１４及びＡＤＳＬ　ｍｏｄｅｍ１５を介してインターネット網１６に対して、当該「ＭＯＶＩＥ」の予告編を蓄積しているサーバと該サーバ上に蓄積されている予告編の所在とを示すＵＲＬがＨＴＴＰ等の通信プロトコルを用いて送信される。該ＵＲＬが示すインターネット網１６上のサーバからＬＡＮ　Ｐｏｒｔ１４及びＡＤＳＬ　ｍｏｄｅｍ１５を介してＨＴＴＰ等の通信プロトコルを用いて応答メッセージが届くと、ＣＰＵ１０とＲＯＭ１１又はＲＡＭ１２に格納されている制御プログラムの動作とにより、選択指定している放送番組の予告編に関するブロードバンド動画コンテンツの配信要求が、ＨＴＴＰ等の通信プロトコルを用いてサーバに送信される。
【００５４】
ここに、放送番組の提供者により当該放送番組の予告編を示す動画映像（ブロードバンド動画コンテンツ）が予め準備されてサーバ（Ｏｎ　Ｄｅｍａｎｄ　Ｓｅｒｖｅｒ）に蓄積されており、該予告編の動画映像（ブロードバンド動画コンテンツ）は、前記ＵＲＬの受信に続く配信要求に応じて、該予告編の動画映像（ブロードバンド動画コンテンツ）の先頭映像から順次ブロードバンド用のストリーミングデータに予め定められているストリーミングデータ形式に基づいてデコードされて、Ｏｎ　Ｄｅｍａｎｄ配信される。
なお、ブロードバンド用のストリーミングデータ形式としては、例えば、“ＭａｃｒｏｍｅｄｉａＦｌａｓｈ（商標）”や“ＲｅａｌＰｌａｙｅｒ（商標）”や“ＷｉｎｄｏｗｓＭｅｄｉａＰｌａｙｅｒ（商標）”あるいは“ＱｕｉｃｋＴｉｍｅ（商標）”に代表されるような周知のストリーミングデータ形式のいずれであっても良い。
【００５５】
前記いずれかのストリーミングデータ形式に基づいて、順次ブロードバンド用のストリーミングデータにデコードされて、インターネット網１６を介して当該テレビジョン受信機のＡＤＳＬ　ｍｏｄｅｍ１５にアナログ変調されて送信されてきたブロードバンド用のストリーミングデータは、ＡＤＳＬ　ｍｏｄｅｍ１５においてデジタルデータ信号に復調された後、ＬＡＮ　Ｐｏｒｔ１４を経由してＣＰＵ１０に取り込まれて、一旦ＲＡＭ１２にバッファリングされる。
【００５６】
ＣＰＵ１０においては、ＲＯＭ１１又はＲＡＭ１２に格納されている画像処理プログラム（ストリーミングデータ再生処理プログラム即ちブロードバンドストリーミングデータ再生部１１ｂ）の動作を起動させることにより、ＲＡＭ１２に一旦バッファリングされたブロードバンド用ストリーミングデータ（番組予告編用のブロードバンドストリーミングデータ）を逐次エンコードして、ブロードバンド用ストリーミングデータからテレビ画面に表示可能なストリーム映像信号（番組予告編用の映像信号）を再生させる。
而して、従来は、例えば、放送番組の予告情報としては、電子番組表の文字情報しか視聴することができなかったが、動画映像情報として予告編を視聴することが可能となる。
【００５７】
ここに、ブロードバンドストリーミングデータ再生手段としては、例えば、“ＭａｃｒｏｍｅｄｉａＦｌａｓｈ（商標）”又は“ＲｅａｌＰｌａｙｅｒ（商標）”又は“ＷｉｎｄｏｗｓＭｅｄｉａＰｌａｙｅｒ（商標）”又は“ＱｕｉｃｋＴｉｍｅ（商標）”に代表されるストリーミングデータ形式のストリーミングデータをそれぞれ再生することができるストリーミングデータ再生手段のいずれか１つ又は複数備え、インターネット網１６を介してストリーミング配信されてくるストリーミングデータ形式に対応するストリーミングデータ形式に基づいて、受信されたブロードバンド用ストリーミングデータがストリーム映像信号に再生させる。
【００５８】
なお、ストリーミングデータの再生処理をＣＰＵ１０とＲＯＭ１１又はＲＡＭ１２に格納されている画像処理プログラムの動作によるプログラム論理に基づいて行なう代わりに、図示していないが、場合によっては、専用画像処理チップを用いてハードウェア論理に基づいて行なうこととしても構わない。かかる専用画像処理チップを用いる場合、テレビジョン受信機のコストが高くなるが、より高速の画像処理を行なわせることができる。
【００５９】
ブロードバンド用のストリーミングデータがエンコードされて逐次再生されてくるストリーム映像信号（番組予告編用の映像信号）は、ＣＰＵ１０からビデオエンコーダ８に送出される。ビデオエンコーダ８においては、ＭＰＥＧデコーダ６から入力されてくる放送番組用の放送映像信号とＣＰＵ１０から入力されてくる番組予告編に関するブロードバンド用のストリーム映像信号とが合成されて、接続されているテレビジョン受像機に適した合成ビデオ信号に復調が行なわれて、テレビジョン受像機に対して出力される。
即ち、ビデオエンコーダ８は、ＣＰＵ１０からのストリーム映像信号（番組予告編用の映像信号）とＭＰＥＧデコーダ６からの放送映像信号とを重畳させる映像信号重畳手段を提供している。
【００６０】
ここで、ビデオエンコーダ８において合成されるＣＰＵ１０からの番組予告編に関するブロードバンド用のストリーム映像信号の表示画面は、前述したように、図３（Ｂ）に示すごとく、テレビジョン受像機の右下側のサブ画面として作成され、一方、ＭＰＥＧデコーダ６からの放送映像信号は放送番組の放送映像情報としてテレビジョン受像機のメイン画面に表示されるように作成される。
【００６１】
次に、視聴者が、図２に示す選択メニュー画面において、入力Ｉ／Ｆ部１３を操作して、図２のハッチングに示す「１：予告編」を選択指定する代わりに、「２：オプション情報」を選択指定した場合、図１のＲＯＭ１１に格納されている制御プログラムのコンテンツ選択部１１ａのうち放送番組予告編選択部１１ａ２が起動される代わりに、放送番組オプション情報選択部１１ａ３が起動されて、オプション情報選択メニュー画面として、例えば、図４（Ａ）に示すごときオプション情報選択画面を、放送信号にデータ信号として含まれて送信されてくるオプション情報の項目又はインターネット網１６を介して受信されているオプション情報の項目を示すオプション情報選択画面として、テレビジョン受像機に表示させる。
なお、放送番組オプション情報選択部１１ａ３は、放送番組に関する解説やメーキングシーンを含む各種のオプション情報のうち、取得（視聴）を所望するオプション情報を選択する動作を司るものである。
【００６２】
ここに、オプション情報選択画面は、前述のごとく、放送番組の提供者が当該放送番組に関する解説やメーキングシーンあるいはその他のオプション映像として予め複数種類準備してサーバ（Ｏｎ　Ｄｅｍａｎｄ　ＳｅｒｖｅｒあるいはＢｒｏａｄｃａｓｔ　Ｓｅｒｖｅｒ）に蓄積しているブロードバンド動画コンテンツのうち、いずれのブロードバンド動画コンテンツをストリーミングデータとしてサーバの種類に応じてそれぞれＯＮ　Ｄｅｍａｎｄ配信あるいはＬｉｖｅ配信させるかを選択するためのオプション情報の項目を表示した選択画面である。
【００６３】
図４（Ａ）に例示するオプション情報選択画面は、現在視聴されている放送番組、又は、視聴者が選択した放送番組として「２ｃｈ　ＢＢＢ　ＭＯＶＩＥ」に関し、該「２ｃｈ　ＢＢＢ　ＭＯＶＩＥ」の放送番組に関するオプション情報のメニュー項目が表示されているものであり、該「２ｃｈ　ＢＢＢ　ＭＯＶＩＥ」の放送番組に関して放送番組提供者が予め準備している「メーキングシーン」と「解説」とのいずれかを選択することが可能である。
【００６４】
なお、図４（Ａ）には表示していないが、オプション情報を蓄積しているサーバが、Ｏｎ　Ｄｅｍａｎｄ　ＳｅｒｖｅｒあるいはＢｒｏａｄｃａｓｔ　Ｓｅｒｖｅｒのいずれであるか、即ち、オプション情報が、Ｏｎ　Ｄｅｍａｎｄ形式のストリーミングデータあるいはＬｉｖｅ形式のストリーミングデータのいずれで配信されるかを識別する表示を追加することとしても良い。
ここに、Ｏｎ　Ｄｅｍａｎｄ形式のストリーミングデータあるいはＬｉｖｅ形式のストリーミングデータのいずれのストリーミング配信方法に基づいて配信されてきた場合であっても、ＡＤＳＬ　ｍｏｄｅｍ１５を介して正しく受信することが可能であると共に、ＲＯＭ１１に格納されている画像処理プログラムであるブロードバンドストリーミングデータ再生部１１ｂにより逐次ストリーム映像信号としてストリーミング再生させることが可能である。
【００６５】
図４（Ａ）のハッチングに示すごとく、視聴者が、入力Ｉ／Ｆ部１３を操作して、「２ｃｈ　ＢＢＢ　ＭＯＶＩＥ」の「解説」を選択指定した場合、図４（Ｂ）に示すごとく、画面右下のサブ画面に、該「２ｃｈ　ＢＢＢ　ＭＯＶＩＥ」の放送番組に関する動画を含む「解説」がオプション情報として、メイン画面の放送番組に関する放送映像情報と共に表示される。
【００６６】
ここで、かかるオプション情報は、前述したように、当該放送番組の提供者が予めサーバ（Ｏｎ　Ｄｅｍａｎｄ　Ｓｅｒｖｅｒ）上に準備し蓄積した当該放送番組関連の動画を含むオプション情報（ブロードバンド動画コンテンツ）を、前述の放送番組の動画予告編におけるＯｎ　Ｄｅｍａｎｄ配信の場合と全く同様の動作によって、ＡＤＳＬ　ｍｏｄｅｍ１５を介して、インターネット網１６から、ストリーミングデータとしてストリーミング配信させることにより、放送番組の放送映像信号とブロードバンドストリーミングデータ再生部１１ｂによりストリーミング再生させたストリーム映像信号（即ち、オプション情報）とを映像信号重畳手段であるビデオエンコーダ８において合成させて、該ストリーム映像信号をサブ画面に表示させる。
【００６７】
また、放送番組に関するオプション情報（ブロードバンド動画コンテンツ）としては、前述のごとく、現在放送中の放送番組に関する解説やメーキングシーンをそのままリアルタイムでライブ情報として配信するように放送番組の提供者がサーバ（Ｌｉｖｅ　Ｓｅｒｖｅｒ）上に準備して蓄積することも可能であり、かかるリアルタイムでライブ情報として配信されるようなＬｉｖｅ用ストリーミングデータを再生表示させる場合も、インターネット網１６のサーバとして、Ｌｉｖｅ　Ｓｅｒｖｅｒを選択するＵＲＬを送信することとする違いはあるものの、Ｌｉｖｅ用ストリーミングデータの配信からテレビジョン受像機への画面表示に至る迄の動作に関しては、前述の放送番組の動画予告編におけるＯｎ　Ｄｅｍａｎｄ用ストリーミングデータ配信の場合と全く同様の動作で、表示させることが可能である。
而して、放送番組に関して当該放送番組提供者が予め豊富に準備している各種のオプション情報について、たとえ、ブロードバンド動画コンテンツであっても、選択したオプション情報に関し、動画映像情報として視聴することが可能である。
【００６８】
次に、視聴者が、図２に示す選択メニュー画面において、入力Ｉ／Ｆ部１３を操作して、図２のハッチングに示す「１：予告編」を選択指定する代わりに、「３：プレイバック再生」を選択指定した場合、図１のＲＯＭ１１に格納されている制御プログラムのコンテンツ選択部１１ａのうち放送番組予告編選択部１１ａ２が起動される代わりに、プレイバック再生映像選択部１１ａ４が起動されて、プレイバック再生映像選択メニュー画面として、例えば、図５（Ａ）に示すごときプレイバック再生映像選択メニュー画面を、放送信号にデータ信号として含まれて送信されてくるプレイバック再生情報（放送時間帯を示す情報）又はインターネット網１６を介して受信されているプレイバック再生情報（放送時間帯を示す情報）を示すプレイバック再生映像選択メニュー画面として、テレビジョン受像機に表示させる。
なお、プレイバック再生映像選択部１１ａ４は、放送済みの放送番組に関するプレイバック再生映像の取得（視聴）を所望する放送番組に関し、取得（視聴）を所望する放送時間帯のプレイバック再生映像を選択する動作を司るものである。
【００６９】
ここに、プレイバック再生映像選択メニュー画面は、前述のごとく、放送番組の提供者が当該放送番組に関するプレイバック再生映像用として放送時間帯毎に分割して、分割された放送時間帯毎に予め準備してサーバ（例えば、Ｏｎ　Ｄｅｍａｎｄ　Ｓｅｒｖｅｒ）に蓄積しているプレイバック再生映像（ブロードバンド動画コンテンツ）のうち、いずれの放送時間帯のプレイバック再生映像（ブロードバンド動画コンテンツ）をストリーミングデータとしてストリーミング配信させるかを選択するためのプレイバック再生用放送時間帯を表示した選択画面である。
【００７０】
図５（Ａ）の例示するプレイバック再生映像選択メニュー画面は、視聴者が選択した放送番組として「２ｃｈ　ＢＢＢ　ＭＯＶＩＥ」に関し、該「２ｃｈ　ＢＢＢ　ＭＯＶＩＥ」の放送番組に関するプレイバック映像を再生させる放送時間帯の選択を行なうためのメニュー項目が表示されているものであり、該「２ｃｈＢＢＢ　ＭＯＶＩＥ」の放送番組のプレイバック再生映像に関して放送番組提供者が予め準備している「１３：００〜１３：１５」，「１３：１５〜１３：３０」，「１３：３０〜１３：４５」，「１３：４５〜１４：００」のいずれの放送時間帯を選択するかを示している。
【００７１】
図５（Ａ）のハッチングに示すごとく、視聴者が、入力Ｉ／Ｆ部１３を操作して、「２ｃｈ　ＢＢＢ　ＭＯＶＩＥ」の「１３：００〜１３：１５」の放送時間帯をプレイバック映像のプレイバック再生時間帯として選択指定した場合、図５（Ｂ）に示すごとく、画面右下のサブ画面に、該「２ｃｈ　ＢＢＢ　ＭＯＶＩＥ」の放送番組の放送時間帯「１３：００〜１３：１５」に関するプレイバック映像情報が、メイン画面の放送番組に関する放送映像情報と共に表示される。
【００７２】
ここで、かかるプレイバック再生映像情報は、前述したように、当該放送番組の提供者が予めサーバ（Ｏｎ　Ｄｅｍａｎｄ　Ｓｅｒｖｅｒ）上に準備して蓄積した当該放送番組の放送時間帯毎のプレイバック映像情報（ブロードバンド動画コンテンツ）を、前述の放送番組の動画予告編におけるＯｎ　Ｄｅｍａｎｄ配信の場合と全く同様の動作によって、ＡＤＳＬ　ｍｏｄｅｍ１５を介して、インターネット網１６から、ストリーミングデータとしてストリーミング配信させることにより、放送番組の放送映像信号とブロードバンドストリーミングデータ再生部１１ｂによりストリーミング再生させたストリーム映像信号（即ち、プレイバック再生映像）とを映像信号重畳手段であるビデオエンコーダ８において合成させて、該ストリーム映像信号をサブ画面に表示させる。
【００７３】
かかるプレイバック再生映像情報をＯｎ　Ｄｅｍａｎｄ配信させて再生表示させる場合も、インターネット網１６のサーバとして、該プレイバック再生映像情報を蓄積しているＯｎ　Ｄｅｍａｎｄ　Ｓｅｒｖｅｒと放送時間帯のプレイバック再生映像情報とを選択指定するために異なるＵＲＬ情報を送信する違いはあるものの、Ｏｎ　Ｄｅｍａｎｄ用ストリーミングデータの配信からテレビジョン受像機への画面表示に至る迄の動作に関しては、前述の放送番組の動画予告編におけるＯｎ　Ｄｅｍａｎｄ用ストリーミングデータ配信の場合と全く同様の動作で、表示させることが可能である。
而して、放送済みの放送番組に関するプレイバック再生映像について、ストリーミング再生技術を適用することにより、大容量のＨＤＤなどの記録メディアを必要とすることなく、安価かつ簡単に実現することができる。
【００７４】
なお、インターネット網１６からストリーミング配信されてきたブロードバンド用のストリーム映像信号を画面表示させる場合、前述の実施例においては、ＣＰＵ１０から逐次ビデオエンコーダ８に直接入力させるように説明しているが、ＯＳＤ表示部７の表示能力が充分に高い場合においては、ブロードバンド用のストリーム映像信号を直接ビデオエンコーダ８に入力することなく、一旦ＯＳＤ表示部７に入力させて、該ＯＳＤ表示部７において、テレビジョン受像機の画面右下のサブ画面にオンスクリーン表示可能な画像形式に編集した後に、ビデオエンコーダ８に送出させるようにすることも可能である。
【００７５】
また、ストリーミングデータとしてインターネット網１６をストリーミング配信する配信形式としてＯｎ　Ｄｅｍａｎｄ配信とＬｉｖｅ配信との二つの配信形式を示しているが、かかる配信形式と放送番組の予告編やオプション情報やプレイバック再生映像情報などのブロードバンド動画コンテンツとの関係は、必ずしも、前述した実施例に限定されるものではなく、放送番組の提供者がサーバにブロードバンド動画コンテンツを蓄積せんとした際に、任意に選択することが可能である。一方、本発明に係るテレビジョン受信機においては、インターネット網１６を介してストリーミング配信される配信形式として、ブロードバンド動画コンテンツの先頭情報からストリーミングデータとして逐次配信されてくるＯｎ　Ｄｅｍａｎｄ配信のみならず、ライブ情報として現在リアルタイムでストリーミング配信されているＬｉｖｅ配信のいずれの配信形式で配信されるブロードバンド動画コンテンツであっても、受信してストリーム映像信号として再生することが可能であり、例えば、現在視聴中の放送番組に関する解説情報についても、リアルタイムで視聴することが可能である。
【００７６】
以上のごとく、インターネット網１６上のサーバに放送番組に関するブロードバンド動画コンテンツを蓄積させることにより、該サーバのブロードバンド動画コンテンツ蓄積領域の記憶容量が超過しない限り、放送番組提供者は多数の前記ブロードバンド動画コンテンツを蓄積させることが可能であり、視聴者は放送番組提供者により豊富に用意されているブロードバンド動画コンテンツの中から真に視聴を所望するブロードバンド動画コンテンツを選択して視聴することができる自由度が得られる。
【００７７】
【発明の効果】
以上に説明したように、本発明に係るテレビジョン受信機によれば、以下のごとき効果が齎らされる。
ブロードバンドデータを送受信することが可能なブロードバンド回線によりインターネット網と接続可能なブロードバンド接続手段と、インターネット網のサーバに蓄積されている各種のブロードバンド動画コンテンツの中から所望のブロードバンド動画コンテンツをコンテンツ選択手段により選択してストリーミング配信させて、ストリーム映像信号として再生させるブロードバンドストリーミングデータ再生手段と、放送番組の放送映像信号と再生された前記ストリーム映像信号とを重畳させて画面表示させる映像信号重畳手段とを備えているので、例えば、放送番組提供者がインターネット網のサーバ上に、放送番組の動画予告編や、放送番組に関する動画を含む解説・メーキングシーンなどを含むオプション情報や、放送時間帯毎に分割したプレイバック再生映像情報などを予め蓄積させることにより、視聴者が、オンデマンド機能を用いて、任意の時刻に、放送番組の動画予告編や動画を含む解説情報やプレイバック再生映像を、メイン画面に表示される放送映像信号に重畳させて、テレビジョン受像機のサブ画面に表示することが可能である。
【００７８】
而して、従来は、例えば、放送番組の予告情報としては、電子番組表の文字情報しか視聴することができなかったが、動画映像情報として予告編を視聴することが可能となる。また、放送番組に関して当該放送番組提供者が予め豊富に準備している各種のオプション情報について、たとえ、ブロードバンド動画コンテンツであっても、選択したオプション情報に関し、動画映像情報として視聴することが可能である。
また、プレイバック再生映像についても、ストリーミング再生技術を適用することにより、大容量のＨＤＤなどの記録メディアを必要とすることなく、安価かつ簡単に実現することができる。
【００７９】
更には、インターネット網を介してストリーミング配信される配信形式として、視聴者からの要求により、ブロードバンド動画コンテンツの先頭情報からストリーミングデータとして逐次配信されてくるＯｎ　Ｄｅｍａｎｄ配信のみならず、ライブ情報として現在リアルタイムでストリーミング配信されているＬｉｖｅ配信のいずれの配信形式で配信されるブロードバンド動画コンテンツであっても、受信してストリーム映像信号として再生することが可能であり、例えば、現在視聴中の放送番組に関する解説情報についても、リアルタイムで視聴することが可能である。
【００８０】
また、サーバに設けられたブロードバンド動画コンテンツに関する蓄積領域の記憶容量の制限が許容される限り、多数のブロードバンド動画コンテンツを蓄積させることが可能であり、視聴者は放送番組提供者により豊富に用意されているブロードバンド動画コンテンツの中から真に視聴を所望するブロードバンド動画コンテンツを選択する自由度が得られる。
【図面の簡単な説明】
【図１】本発明に係るテレビジョン受信機の実施形態の一例であるデジタルテレビジョン受信機における構成の一例を示すブロック構成図である。
【図２】本発明に係るテレビジョン受信機の一実施形態を示すために、視聴者が視聴を所望する項目を選択指定するための選択メニュー項目の一例を示す選択メニュー画面である。
【図３】本発明に係るテレビジョン受信機の一実施形態を示すために、予告編選択メニュー画面の一例として電子番組表を表示している選択メニュー画面と該予告編選択メニュー画面で選択された予告編情報を表示した画面表示例である。
【図４】本発明に係るテレビジョン受信機の一実施形態を示すために、放送番組に関するオプション情報を選択するメニュー画面の一例を示すオプション情報選択画面と該オプション情報選択画面で選択されたオプション情報を表示した画面表示例である。
【図５】本発明に係るテレビジョン受信機の一実施形態を示すために、放送済み番組のプレイバック再生映像を選択するメニュー画面の一例を示すプレイバック再生映像選択メニュー画面と該プレイバック再生映像選択メニュー画面で選択されたプレイバック再生映像を表示した画面表示例である。
【図６】従来技術におけるテレビジョン受信機の構成を示すブロック構成図である。
【符号の説明】
１…アンテナ、２…チューナ部、３…復調回路、４…誤り訂正部、５…トランスポートデコーダ、６…ＭＰＥＧデコーダ、７…ＯＳＤ表示部、８…ビデオエンコーダ、９…音声ＤＡＣ、１０…ＣＰＵ、１１…ＲＯＭ、１１ａ…コンテンツ選択部、１１ａ１…電子番組抽出部、１１ａ２…放送番組予告編選択部、１１ａ３…放送番組オプション情報選択部、１１ａ４…プレイバック再生映像選択部、１１ｂ…ブロードバンドストリームデータ再生部、１２…ＲＡＭ、１３…入力Ｉ／Ｆ、１４…ＬＡＮＰｏｒｔ、１５…ＡＤＳＬｍｏｄｅｍ、１６…インターネット網、１７…フロントエンド部、１８…トランスポート部、１９…ＭＰＥＧデコーダ部、２０…受信装置、２１…受信部、２２…ＶＢＩ復号化部、２３…画像構成部、２４…ＲＦモジュレータ、２５…操作部、２６…通信部、２７…電話回線ケーブル、３０…テレビ受像機。
【図１】
2004015224.tif 000003
【図２】
2004015224.tif 000004
【図３】
2004015224.tif 000005
【図４】
2004015224.tif 000006
【図５】
2004015224.tif 000007
【図６】
2004015224.tif 000008